(57)【要約】【課題】製造コストを抑制しつつ液晶パネルの表示品位を確保した液晶表示装置を提供する。【解決手段】液晶パネル２の駆動回路10をガラス基板３に設ける。液晶パネル２および液晶パネル２の外部の画像出力ＩＣ18に電気的に接続するＦＰＣ８に、駆動回路10に電源を供給する電源ＩＣ15を実装する。比較的高価な液晶パネル２の駆動用のドライバＩＣを用いることなくガラス基板３上の駆動回路10で液晶パネル２を駆動できるので、製造コストを抑制できる。電源ＩＣ15をＦＰＣ８に設けることで電源ＩＣ15の精度を向上することも可能になり、液晶パネル２の表示品位を確保できる。【選択図】図１
2007187980.tif 000002
【特許請求の範囲】
【請求項１】
表示パネルと、
この表示パネルに設けられ、この表示パネルを駆動する駆動回路と、
前記表示パネルに接続され、この表示パネルの外部に電気的に接続される基板と、
この基板に実装され、前記駆動回路に電源を供給する電源回路と
を具備したことを特徴とした表示装置。
【請求項２】
基板は、フレキシブルプリント基板である
ことを特徴とした請求項１記載の表示装置。
【発明の詳細な説明】
【技術分野】
【０００１】
本発明は、表示パネルを駆動する駆動回路を備えた表示装置に関する。
【背景技術】
【０００２】
従来、例えば携帯電話機用のＬＣＤなどの表示装置は、絶縁基板としてのガラス基板を有するアレイ基板およびこのアレイ基板に対向して配設された対向基板を備えた表示パネルとしての液晶パネルを有し、この液晶パネルには、外部の画像出力ＩＣなどと液晶パネルとを電気的に接続するＦＰＣ（Flexible Printed Circuit）が設けられている。
【０００３】
そして、このような液晶パネルの駆動には、コンデンサおよび抵抗などの汎用部品と、液晶駆動用の駆動回路を構成するドライバＩＣとが必要であり、このような部品は、一般に、ガラス基板上、あるいはＦＰＣ上に実装される（例えば、特許文献１参照。）。
【特許文献１】特開２００４−２２６７８６号公報
【発明の開示】
【発明が解決しようとする課題】
【０００４】
しかしながら、液晶駆動用のドライバＩＣは、一般に高価であるため、このようなドライバＩＣを使用しないＬＣＤが研究されてきている。
【０００５】
そして、近年の液晶製造プロセスの発展により、ある程度の規模を持つ電気回路をガラス基板上に形成することが可能になったことから、例えばガラス基板上にドライバＩＣの機能を作り込み、ガラス基板上にドライバＩＣの機能の一部を持たせることに成功している。そして、ガラス基板上に、電源回路を含むドライバＩＣの全駆動回路を形成すれば、大幅なコストダウンが見込める。
【０００６】
しかしながら、このようなガラス基板上に設けられる半導体は、通常の半導体と製造プロセスが異なり、作り込める回路の量に制限があるため、携帯電話機用などのＬＣＤの駆動に充分な高機能および高精度の電源回路などをガラス基板上に形成することはできない。
【０００７】
一方で、近年の携帯電話機用のＬＣＤに求められるような高品位の画質を実現するためには、高精度の電源回路は必須であるため、この電源回路を省略することはできない。
【０００８】
また、ＬＣＤモジュールの外部に電源回路を含む駆動回路を置くことも考えられるが、この場合、液晶パネルの駆動に必要な端子数は、１００本以上と膨大であることから、これら駆動回路と電気的に接続されるＦＰＣの入力および出力の端子数も膨大（それぞれ１００本以上）になるという問題がある。
【０００９】
本発明は、このような点に鑑みなされたもので、製造コストを抑制しつつ表示パネルの表示品位を確保した表示装置を提供することを目的とする。
【課題を解決するための手段】
【００１０】
本発明は、表示パネルと、この表示パネルに設けられ、この表示パネルを駆動する駆動回路と、前記表示パネルに接続され、この表示パネルの外部に電気的に接続される基板と、この基板に実装され、前記駆動回路に電源を供給する電源回路とを具備したものである。
【００１１】
そして、表示パネルの駆動回路を表示パネルに設けるとともに、表示パネルおよびこの表示パネルの外部に電気的に接続される基板に、駆動回路に電源を供給する電源回路を実装する。
【発明の効果】
【００１２】
本発明によれば、比較的高価な駆動用ＩＣを用いることなく表示パネル上の駆動回路で表示パネルを駆動できるので、製造コストを抑制できるとともに、電源回路を基板に設けることで電源回路の精度を向上することも可能になり、表示パネルの表示品位を確保できる。
【発明を実施するための最良の形態】
【００１３】
以下、本発明の一実施の形態の表示装置の構成を図１を参照して説明する。
【００１４】
図１において、１は表示装置としての液晶表示装置で、この液晶表示装置１は、例えば携帯電話機などに用いられる表示パネルとしての液晶パネル２を備えている。この液晶パネル２は、透光性を有する絶縁基板としてのガラス基板３の一主面である表面に四角形状の表示領域４を有するアレイ基板５を備え、このアレイ基板５の表示領域４の表面に、この表示領域４よりも若干大きい四角形平板状である対向基板６が対向して配設され、これらアレイ基板５と対向基板６との間に図示しない液晶が介挿されて封止されて構成されている。さらに、この液晶パネル２の背面には、光源としての図示しないバックライトが配設されている。そして、表示領域４には、図示しない走査線および信号線が縦横に交差して配設され、これら走査線と信号線との交点に、薄膜トランジスタ（ＴＦＴ）や透明画素電極（ＩＴＯ）が配設されてマトリクス状をなしている。
【００１５】
ガラス基板３は、液晶パネル２の一側面を構成しており、この液晶パネル２の表示領域４の周囲に額縁状に突出した額縁部７を備えている。また、ガラス基板３の一端部には、図示しない所定のバンプに対して、基板としてのフレキシブルプリント基板８（以下、ＦＰＣ８という）が、例えばＡＣＦ（Anisotropic Conductive Film）を介しての熱圧着、すなわちＡＣＦ接続により電気的に接続されている。
【００１６】
額縁部７には、液晶パネル２の表示領域４を駆動させて画像を表示させる駆動回路10が形成されている。この駆動回路10は、例えば表示領域４の走査線に電気的に接続される薄膜トランジスタのゲートを駆動するゲート駆動部、表示領域４の信号線に電気的に接続される薄膜トランジスタのソースを駆動するソース駆動部、および、限られた精度と容量との電源である単純昇圧電源などの、比較的精度が低く電流能力が小さい回路が形成され、液晶パネル２のドライバＩＣ機能を有している。
【００１７】
ＦＰＣ８には、駆動回路10に電源を供給する電源回路としての正方形状の電源ＩＣ15が略中央部に実装され、この電源ＩＣ15の両側方に、コンデンサ、あるいは抵抗などの汎用部品16が複数実装されている。また、ＦＰＣ８のガラス基板３と反対側の一端部には、突出部8aが突設され、この突出部8aには、図示しないが、電源ＩＣ15などから導出された短絡端子が並設されている。そして、これら短絡端子は、接続部材としてのコネクタ17を介して外部の図示しない携帯電話機のセット基板に実装された画像出力ＩＣ18から導出された配線部19へと電気的に接続されている。この画像出力ＩＣ18は、表示される画像データに基づいて表示領域４の画素を駆動する信号などを出力するものである。
【００１８】
次に、上記一実施の形態の動作を説明する。
【００１９】
液晶表示装置１の製造に際しては、所定の駆動回路10および薄膜トランジスタ、画素電極などを設けたガラス基板３に対して、対向電極などを設けた対向基板６を対向させて配設する。
【００２０】
次いで、電源ＩＣ15および汎用部品16を実装したＦＰＣ８を、例えばＡＦＣなどによりガラス基板３に電気的に接続する。
【００２１】
さらに、ＦＰＣ８に形成された短絡端子を、携帯電話機のセット基板に実装された画像出力ＩＣ18から導出された配線部19に対して、コネクタ17により電気的に接続する。
【００２２】
そして、表示する所定の画像データに基づき、画像出力ＩＣ18から配線部19およびコネクタ17を介して伝達された信号により、ＦＰＣ８の電源ＩＣ15が所定の電源信号を駆動回路10に出力し、この電源信号に基づいて薄膜トランジスタがオンオフされることにより、これら薄膜トランジスタに対応した画素がオンオフされることで、表示領域４に所定の画像データに対応した画像が表示される。
【００２３】
上述したように、上記一実施の形態では、液晶パネル２の駆動回路10をガラス基板３に設けるとともに、液晶パネル２および液晶パネル２の外部の画像出力ＩＣ18に電気的に接続されるＦＰＣ８に、駆動回路10に電源を供給する電源ＩＣ15を実装する構成とした。
【００２４】
すなわち、上記一実施の形態では、液晶パネル２の駆動に必要な電源回路のうち、精度や電流能力を必要としないゲート駆動部、ソース駆動部および単純昇圧電源回路などのドライバＩＣ機能を有する駆動回路10をガラス基板３上に形成し、高精度および高能力が必要となる電源ＩＣ15のみをＦＰＣ８に実装する構成とした。
【００２５】
この結果、比較的高価な液晶パネル２の駆動用のドライバＩＣなどを用いることなくガラス基板３上の駆動回路10で液晶パネル２を駆動できるので、製造コストを抑制できるとともに、電源ＩＣ15は、形成できる回路の精度および容量などに制限があるガラス基板３ではなくＦＰＣ８に設けることで、精度を向上した電源ＩＣ15を実装できるので、この精度を向上した電源ＩＣ15により制御した駆動回路10にて、液晶パネル２の表示品位を確保でき、この液晶パネル２を携帯電話機用のＬＣＤと同等の性能を有する高度なものとし、携帯電話機用として充分な性能の液晶パネル２を実現できる。
【００２６】
しかも、電源ＩＣ15は、ドライバＩＣよりも安価であるため、電源ＩＣ15をＦＰＣ８に実装しても、ドライバＩＣおよび電源ＩＣをＦＰＣなどの基板に実装する場合よりコストを抑制できる。
【００２７】
また、例えばドライバＩＣおよび電源回路などを、携帯電話機のセット基板、すなわちガラス基板３およびＦＰＣ８の外部に配設した従来の場合では、ドライバＩＣからＦＰＣ８およびガラス基板３側へと信号線および電源線などを接続するために、入力端子数が例えば１００以上などに増大し、接続に手間がかかり、製造コストがかさんだり、接続の信頼性などの問題が生じたり、あるいはコネクタ17が必要以上に大きくなったりしていたのに対して、上記一実施の形態では、電源ＩＣ15をＦＰＣ８に実装することで、コネクタ17の入力端子数を例えば３０程度に抑制でき、上記入力端子数の増大の問題を解決できる。
【００２８】
さらに、ガラス基板３上には、ドライバＩＣや電源ＩＣ15が配設されないので、額縁部７の大きさを狭くでき、表示領域４を拡げたり、全体を小型化したりできる。
【００２９】
なお、上記一実施の形態は、液晶表示装置１だけでなく、例えば有機ＥＬ表示装置などの表示装置にも適用できる。
【図面の簡単な説明】
【００３０】
【図１】本発明の一実施の形態の表示装置を示す説明平面図である。
【符号の説明】
【００３１】
１    表示装置としての液晶表示装置
２    表示パネルとしての液晶パネル
８    基板としてのフレキシブルプリント基板
10    駆動回路
15    電源回路としての電源ＩＣ
【図１】
2007187980.tif 000003